(57)【特許請求の範囲】
【請求項１】
蛍光ランプのバルブ端から延在する排気管の先端部に下部が脱着可能に連結される排気ヘッドの上部に定ストローク上下動可能に収納された弁部材と、下限位置に在る弁部材の下部を隙間無く保持する逆錐面状で中央部に前記排気管に連通するペレット投入口が形成された座面、及び、同下限位置の弁部材の周側面に所定の間隙で対向する内壁面を有する上端開口のペレット通路空間と、ペレット通路空間の上端開口を適宜閉塞する蓋を備え、外部からペレット通路空間内に供給された略球状定形の水銀含有ペレットを下限位置の弁部材で一時的に保持し、この弁部材を外部からの磁気吸引力で上昇させてできる座面との隙間に水銀含有ペレットを自重で通過させてペレット投入口から排気管内へと落下させるようにした水銀含有ペレット投入装置であって、
前記ペレット通路空間の内壁面と下限位置の弁部材の周側面の間隙が水銀含有ペレットが自重で通過しないストッパー間隙であり、このストッパー間隙が、弁部材の外部衝撃力に伴う非正規な上下振動時における弁部材上昇時にも形成され、弁部材が外部からの磁気吸引力で所定の上限位置まで上昇すると間隙規制が解除されて水銀含有ペレットが通過するように、所定の上下長さ範囲で形成されていることを特徴とする蛍光ランプの水銀含有ペレット投入装置。
【請求項２】
上記弁部材が剛球であり、ペレット通路空間の座面が逆円錐面であることを特徴とする請求項１記載の蛍光ランプの水銀含有ペレット投入装置。
【請求項３】
上記弁部材が重量大の大剛球で、この大剛球の上に大剛球よりも重量の小さい単数或いは複数個の補助剛球を載置したことを特徴とする請求項２記載の蛍光ランプの水銀含有ペレット投入装置。
【請求項４】
上記弁部材が下端面が逆円錐面の円筒状スライダーであり、ペレット通路空間の座面が逆円錐面である請求項１記載の蛍光ランプの水銀含有ペレット投入装置。
【請求項５】
上記逆円錐面の座面の開口角度が６５度〜７５度であることを特徴とする請求項２〜４いずれか記載の蛍光ランプの水銀含有ペレット投入装置。
【発明の詳細な説明】
【０００１】
【発明の属する技術分野】
この発明は、直管形蛍光ランプや環形蛍光ランプの製造工程における排気工程設備で使用される水銀含有ペレット投入装置に関する。
【０００２】
【従来の技術】
蛍光ランプ製造の排気工程は、例えばターンテーブルの周辺部に等間隔で設置された複数の各排気ヘッドに蛍光ランプのバルブから延在する排気管を連結しバルブをチャックした状態で、次のように行われる。ターンテーブルを間欠回転させてバルブを各作業ポジションに移動させながら、先ずバルブを例えば４００〜５００℃に加熱してバルブ内の不純ガスを排気し、この排気を継続しながらバルブ内の電極の熱分解による活性化を行い、最終工程で排気管を通してバルブ内に水銀とアルゴン等の不活性ガスの封入を行ってから排気管をチップオフする。
【０００３】
上記排気工程における水銀封入方法として、定量の水銀を排気管内に滴下する方法があるが、排気管外に水銀が飛散蒸発する可能性が高くて、蛍光ランプ製造の作業環境のクリーン化対策が必要となる。また、別の水銀封入方法として、例えば水銀とチタンとの金属間化合物を板状等に成形した定量の固形物品をバルブ内に付着させておいて、加熱排気や電極活性化、不活性ガス封入、排気管チップオフまでの蛍光ランプ製造を行い、最後にボンバーダでバルブ内の金属間化合物を高温に加熱・分解して、バルブ内で水銀を蒸発させる方法がある。この方法の場合、作業環境に水銀が飛散する心配は無いが、ボンバーダ等の設備が大掛かりとなる。
【０００４】
そこで、近年においては水銀と亜鉛等を結着させた球状の水銀含有ペレットを排気管からバルブ内に投入して、バルブの熱で投入された水銀含有ペレットから水銀を蒸発させるようにすることで、水銀封入をすることが多く行われている。このような水銀含有ペレットをバルブに投入する従来装置例を、図４及び図５に示し説明する。
【０００５】
図４は、蛍光ランプ製造の排気工程における排気ヘッド１が示される。排気ヘッド１は、図示しないターンテーブルの周縁に鉛直方向に設置されるもので、円筒状のヘッド本体２の下部に排気管チャック機構３が設置され、ヘッド本体２の上部に水銀含有ペレット投入装置４が内蔵される。排気管チャック機構３は、下方からバルブ５の排気管６が挿通されると、この排気管６の上端部を脱着可能に挟持する。同時にバルブ５も図示しないターンテーブル側のチャックで挟持される。
【０００６】
また、ヘッド本体２の中央部に真空引き管７が、この真空引き管７の上下箇所に冷却管８，９が連結される。円筒状のヘッド本体２は中心部に上下に貫通する排気孔１０を有し、この排気孔１０の上下端部を除く中央部に１本のペレット供給管１１が設置される。排気管チャック機構３が排気管６をチャックすると、排気管６の上端開口とペレット供給管１１の下端開口が同軸に対向して、排気管６の上端開口が排気孔１０と連通する。真空引き管７は外部の真空ポンプ１２に連結され、真空ポンプ１２で真空引き管７内を真空引きすると、排気孔１０の下部に連通する排気管６内とバルブ５内が排気され、同時に排気孔１０の上部と連通する水銀含有ペレット投入装置４の内部空間も排気される。冷却管８，９は、例えばヘッド本体２内に形成されたラジエータ室１３に冷却水を循環させてヘッド本体２を冷却するもので、この冷却で水銀含有ペレット投入装置４の内部空間が後述する水銀含有ペレットの水銀が蒸発する温度（約３８℃）より低い定温に保持される。
【０００７】
従来の水銀含有ペレット投入装置４を図５に基づき説明すると、これはヘッド本体２の排気孔１０の上端部に固定された円筒状の下部ブロック２１と上部ブロック２２の間に２個の弁部材である剛球２３，２４を収納し、円筒状の上部ブロック２２の上端開口に蓋２５を開閉可能に設置して構成される。上下の各ブロック２２，２１の内周面で、上下に連なるペレット通路空間３０が形成される。ペレット通路空間３０の上端開口に蓋２５が上下に開閉可能に設置され、蓋２を閉じるとペレット通路空間３０の上端開口が密閉され、蓋２５を図５（Ａ）の鎖線で示すように開くと外部から定量の水銀含有ペレット２０がペレット通路空間３０に投入される。２個の剛球２３，２４は磁性体で、図５（Ｂ）の鎖線で示すように閉じた蓋２５の上にマグネット（電磁石）２６を位置させ、励磁させると２個の剛球２３，２４が磁気吸引されてペレット通路空間３０内を上限位置まで上昇する。
【０００８】
円筒状の下部ブロック２１の内周面中央部に逆円錐状の座面３１が形成され、この座面３１の上端から真上に円筒面の内壁面３２が延在する。座面３１の中心部下方にペレット投入口３３が形成され、このペレット投入口３３の下部にペレット供給管１１の上端部が同軸に連結固定されて、ペレット通路空間３０にペレット供給管１１が連通させてある。逆円錐状座面３１に１個の剛球２３が隙間無く載置され、この剛球２３上と内壁面３２の間に他の剛球（以下、補助剛球と称する）２４が載置される。このときの剛球２３はペレット投入口３３を塞いで、ペレット通路空間３０に投入された水銀含有ペレット２０の投入口３３への落下を防止する。補助剛球２４は剛球２３より大径、大重量であり、これの存在理由は後述する。上部ブロック２２は、補助剛球２４の上昇時の上限位置を規制するストッパーである。
【０００９】
図５（Ａ）に示すように各剛球２３，２４が自重で下限位置に在るとき、蓋２５が開かれてペレット通路空間３０に水銀含有ペレット２０が投入される。このペレット投入は、図４の排気ヘッド１が電極活性化ポジションを通過して不活性ガス封入ポジションに至る所定のタイミングで行われる。また、蓋２５の開成は、カムやシリンダ等を使って外部から行われる。水銀含有ペレット２０は定形の略球体で、蛍光ランプに必要な水銀量が例えば１４ｍｍｇとすると、多孔質の亜鉛球体に１４ｍｍｇの水銀を含浸させた直径が約１．４ｍｍの球体で、この１個が専用の切り出し装置（図示せず）でペレット通路空間３０に自動投入される。この水銀含有ペレット２０に対して、例えば剛球２３の直径は６ｍｍ、補助剛球２４の直径は８ｍｍである。
【００１０】
ペレット通路空間３０に１個の水銀含有ペレット２０が投入されると蓋２が閉じられ、ペレット通路空間３０がその側壁一部に設けた排気孔３４から排気される。投入された水銀含有ペレット２０は剛球２３と座面３１の間に係止して保持される。一方、ヘッド本体２の冷却でペレット通路空間３０が３８℃未満の定温に保持されているので、ペレット通路空間３０に投入された水銀含有ペレット２０は球体のままで、水銀の蒸発は殆んど無い。
【００１１】
図５（Ａ）の状態で排気ヘッド１が次の水銀封入の作業ポジションに移動すると、同ポジションに待機した図５（Ｂ）の鎖線で示すマグネット２６が作動して磁性体の剛球２３，２４を磁気吸引してペレット通路空間３０内を上昇させる。この場合、補助剛球２４が上部ブロック２２に当接する上限位置まで上昇し、この補助剛球２４に磁気吸着された状態で剛球２３も上昇して、剛球２３と座面３１との間に水銀含有ペレット２０の直径を超える隙間が形成され、この隙間を通って水銀含有ペレット２０が座面３１からペレット投入口３３へと自重で落下し、更に、ペレット投入口３３からペレット供給管１１内を通過して排気管６内に落下し、バルブ５内に投入される。このペレット投入直後に、或いは、同時的に排気管６からアルゴン等の不活性ガスがバルブ５内に供給され、短時間内に排気管６のチップオフが行われる。バルブ５内に投入された水銀含有ペレット２０は、バルブ５の自然冷却途中の熱（例えば１００℃前後）で加熱されて水銀が蒸発し、バルブ５への水銀封入が終了する。
【００１２】
【発明が解決しようとする課題】
図５（Ａ）の状態において、ペレット通路空間３０内で各剛球２３，２４は上方に対して自由に動ける状態にあり、この状態のときに不意に外部衝撃力が付勢されると各剛球２３，２４が上下に振動して、下部の剛球２３が座面３１から上方に離反することがある。上記外部衝撃力は、例えばターンテーブルの間欠回転時の回転始めと回転終わりのときの加速度ショックによるもの、蓋２５が閉じるときの機械的衝撃力によるもの、真空引き管１２の途中に設置された排気弁の切換時の機械的衝撃力によるもの、等で与えられる。
【００１３】
このような非正規な外部衝撃力が常に微小であれば問題ないが、時折限度を超えて大きくなり、そのときのショックで剛球２３が座面３１から水銀含有ペレット２０の直径以上に上昇して水銀含有ペレット２０のストッパー機能を一時的に無くし、この上昇瞬間に水銀含有ペレット２０が座面３１を転がってペレット投入口３３に落下するペレット落下ミスが発生することがある。実際、非正規な外部衝撃力で剛球２３が最大５ｍｍ程度まで上昇浮き上がり動作をし、１．４ｍｍ以上浮き上がると水銀含有ペレット２０が落下ミスすることが分かっている。かかるペレット落下ミスが図５（Ｂ）の正規のペレット投入時点までに発生すると、落下ミスの水銀含有ペレットが真空引き管７から真空系に吸引されてバルブ５に供給されないトラブルや、落下ミスの水銀含有ペレットが早期にバルブ５内に落下して水銀蒸発をし、この蒸発水銀の一部が排気されて最終的なバルブ内の封入水銀量が不足するトラブルが発生して、蛍光ランプの品質改善と製造歩留まりの向上化を難しくしている。
【００１４】
尚、剛球２３の非正規な外部衝撃力による上下振動を抑制するため、剛球２３にこれより大重量の補助剛球２４を乗せている。このように各剛球２３，２４の重量を相違させることで、双方が機械的振動しても共振しないようにし、かつ、機械的振動しても互いに振動を打ち消し合うようにして、下部の剛球２３が座面３１から大きく離反しないようにその振動量を抑制しているが、未だ不十分で上記トラブルが発生している。また、下部の剛球２３の上記振動をより小さくするため、この剛球２３をより大重量化、大径化することが検討されているが、大重量化するほどマグネット２６による正規の上昇動作を正確に行わせることが難しくなることもあって、剛球（弁部材）の大重量化、大径化は既に限界であるのが現状である。
【００１５】
また、図５（Ａ）の下部の剛球２３を図５（Ｂ）の電磁石２６で磁気吸引して逆円錐面の座面３１から離反させる正規のペレット投入時において、剛球２３が座面３１に食い付いた状態になっていると磁気吸引しても座面３１から離反しないことがある。このような事態が発生すると、最後まで水銀含有ペレット２０がバルブ５内に落下せず、尚更に蛍光ランプの製造歩留まりが悪くなる。
【００１６】
本発明の目的とするところは、水銀含有ペレットをペレット通路空間に一時停止させる剛球等の弁部材が非正規な外部衝撃力で多少振動しても水銀含有ペレットの落下ミスをさせない動作の安定した水銀含有ペレット投入装置を提供することにある。
【００１７】
【課題を解決するための手段】
本発明は、蛍光ランプのバルブ端から延在する排気管の先端部に下部が脱着可能に連結される排気ヘッドの上部に定ストローク上下動可能に収納された弁部材と、下限位置に在る弁部材の下部を隙間無く保持する逆錐面状で中央部に前記排気管に連通するペレット投入口が形成された座面、及び、同下限位置の弁部材の周側面に所定の間隙で対向する内壁面を有する上端開口のペレット通路空間と、ペレット通路空間の上端開口を適宜閉塞する蓋を備え、外部からペレット通路空間内に供給された略球状定形の水銀含有ペレットを下限位置の弁部材で一時的に保持し、この弁部材を外部からの磁気吸引力で上昇させてできる座面との隙間に水銀含有ペレットを自重で通過させてペレット投入口から排気管内へと落下させるようにした水銀含有ペレット投入装置であって、ペレット通路空間の内壁面と下限位置の弁部材の周側面の間隙が水銀含有ペレットが自重で通過しないストッパー間隙であり、このストッパー間隙が、弁部材の外部衝撃力に伴う非正常な上下振動時における弁部材上昇時にも形成され、弁部材が外部からの磁気吸引力で所定の上限位置まで上昇すると間隙規制が解除されて水銀含有ペレットが通過するように、所定の上下長さ範囲で形成されていることを特徴とする。
【００１８】
ここで、弁部材は磁気吸引される磁性体の球体や筒体等であり、この弁部材が下限位置に在るときの弁部材の周側面とペレット通路空間の内壁面の間に水銀含有ペレットを通さない隙間を形成し、この隙間を弁部材が非正規な外部衝撃力で振動して上昇しても維持させるように形成することで、弁部材が非正規に振動しても水銀含有ペレットの落下ミスが回避される。
【００１９】
また、本発明の第２の発明は、上記弁部材が剛球であり、ペレット通路空間の座面が逆円錐面であることを特徴とし、第３の発明は、上記弁部材が重量大の大剛球で、この大剛球の上に大剛球よりも重量の小さい単数或いは複数個の補助剛球を載置したことを特徴とする。この第２と第３の発明は、従来の弁部材に剛球を使用したものの改良品に相当するもので、第２の発明における剛球数は単数を含み、この剛球を複数個使用したものが第３の発明に相当する。
【００２０】
更に、本発明の第４の発明は、上記弁部材が下端面が逆円錐面の円筒状スライダーであり、ペレット通路空間の座面が逆円錐面であることを特徴とする。
【００２１】
また、本発明においては、上記逆円錐面の座面の開口角度を６５度〜７５度にすることが、剛球や円筒状スライダーの弁部材を磁気吸引力で正規に上昇させる動作を確実にする上で望ましい。
【００２２】
【発明の実施の形態】
以下、第１の実施例を図１及び図２に示し、第２の実施例を図３に示して、順に説明する。
【００２３】
図１は、図４と同様な排気ヘッド１の上部に本発明実施例の水銀含有ペレット投入装置４０を設置したもので、図１の図４と同一、又は、相当部分には同一符号を付して説明を省略する。尚、図１の排気管チャック機構３に示される１４はリング状のゴムチャック、１５は開閉アームで、排気ヘッド１がバルブ取付ポジションに移動して開いたゴムチャック１４に排気管６が挿通されると、開閉アーム１５が排気管チャック方向に回転して、ゴムチャック１４をその全周から締め付けて排気管６に密着させる。また、図１のヘッド本体２の上部が筒状で、この内部空間に水銀含有ペレット投入装置４０が内蔵され、この装置４０の蓋４７はヘッド本体２の上端面に埋設されたオーリング１６に圧接することで排気孔１０の上端開口を密閉する。
【００２４】
第１の実施例である水銀含有ペレット投入装置４０の具体例を図２（Ａ）〜（Ｃ）を参照して説明すると、同装置４０は磁性体の弁部材４１と、弁部材４１を定ストローク上下動可能に収納するペレット通路空間４６と、ペレット通路空間４６の上端開口を適宜閉塞する蓋４７を備える。ペレット通路空間４６の底面は逆錐面状の座面４２で、座面４２の中心部にペレット投入口４３が形成され、ペレット投入口４３にペレット供給管１１の上端部が連結固定されて、ペレット供給管１１とペレット通路空間４６が連通する。座面４２の上端から鉛直方向に内壁面４４が延在し、更に内壁面４４の上端からより大径の内壁面４５が延在して、ペレット通路空間４６が形成される。
【００２５】
弁部材４１は球体、筒体等の形状で、単数或いは複数が使用されるもので、図２の実施例においては単数の剛球４１ａが示される。この剛球４１ａに対応する座面４２は逆円錐面であり、内壁面４４は円筒面で、平常時は座面４２上に剛球４１ａが隙間無く載置され、この剛球４１ａ上に補助剛球４１ｂが載せられる。補助剛球４１ｂは必要に応じて使用されるもので、無くてもよい。
【００２６】
図２に示される水銀含有ペレット２０は図５と同様のもので、直径が約１．４ｍｍの略球体である。これに対して剛球４１ａは直径が１０ｍｍ，補助剛球４１ｂの直径が８ｍｍである。また、座面４２の開口角度θは６５度〜７５度の範囲に設定され、その理由は後述する。
【００２７】
本発明の従来と大きく相違する特徴は、座面４２に載置された下限位置に在る剛球４１ａと内壁面４４の間の隙間ｇの最大値を水銀含有ペレット２０の直径より小さく設定したこと、及び、下限位置の剛球４１ａに最も接近する内壁面４４の定箇所から内壁面４４の上端までの高さｈを座面４２上の水銀含有ペレット２０が非正規に外部衝撃力で上下に振動するときの上昇浮き上がり量の最大値（約５ｍｍ）程度に設定したことである。
【００２８】
図２（Ａ）は平常状態が示して在り、このときに蓋４７を開いて１個の水銀含有ペレット２０をペレット通路空間４６に投入すると、水銀含有ペレット２０は剛球４１ａと内壁面４４の上端のところで係止されて一時停止状態に保持され、狭い隙間ｇには入らない。この平常状態で非正規に外部衝撃力が加えられて、図２（Ｂ）に示すように剛球４１ａが補助剛球４１ｂと共に上下振動したとき、剛球４１ａがその最大量で上昇しても内壁面４４との隙間ｇが変わらず、従って、水銀含有ペレット２０は剛球４１ａと内壁面４４の上端のところで係止されたままとなってペレット落下ミスが回避される。
【００２９】
そして、排気ヘッド１がアルゴン等の不活性ガス封入ポジションに移動するタイミングで、或いは、不活性ガス封入のタイミングで、図２（Ｃ）に示すようにマグネット２６を使用して各剛球４１ａ、４１ｂを磁気吸引し、それぞれを上限位置まで上昇させる。すると、剛球４１ａが内壁面４４より浮き上がり、内壁面４４の上端と剛球４１ａの間に水銀含有ペレット２０の直径より大きな空間ができて、この空間から水銀含有ペレット２０が座面４２，ペレット投入口４３へと落下し、そのままペレット供給管１１を通過して排気管６からバルブ５へと落下する。バルブ５に落下した水銀含有ペレット２０は即座にバルブ５の熱（例えば１００℃程度）で加熱されて水銀を蒸発させる。このような水銀封入は、アルゴン等の不活性ガス封入の直前か、不活性ガス封入と同時に行えばよい。
【００３０】
図２の第１の実施例においては、弁部材である剛球４１ａには例えば直径１０ｍｍのより重い剛球を、補助剛球４１ｂには直径８ｍｍのより軽い剛球を使用して、弁部材である剛球４１ａの不本意な振動がより小さくなるようにしている。補助剛球４１ｂは、剛球４１ａの不本意な振動を抑制すると共に、剛球４１ａの磁気吸引力による正規な上昇動作を援助する。
【００３１】
また、平常時に剛球４１ａを保持する座面４２の開口角度θを６５度〜７５度に設定することで、座面４２への剛球４１ａの食い付きが軽減されて、磁気吸引力による剛球４１ａの正規の上昇動作がより確実になることが確認された。ちなみに開口角度θとして、従来は６０度程度に設定されていて、剛球の正規な上昇動作が不安定になることがあったが、これが上記角度範囲に拡大することで解決された。このことは、次の第２の実施例においても同様であり、第２の実施例の説明の中では言及しない。
【００３２】
図３の第２の実施例に示される水銀含有ペレット投入装置４０の図２装置と相違するところは、弁部材４１に磁性体金属の円筒状スライダー４１ｃを使用したことである。このスライダー４１ｃの下端面は、座面４２に密着する逆円錐面である。スライダー４１ｃは、ペレット通路空間４６の上部に固定されたガイド部材４８にガイドされて上下動する。ガイド部材４８は、上面に蓋４７が設置される円筒部４９と、円筒部４９の下面中央から下方に突出するガイド柱部５０を有し、円筒部４９の内部空間からガイド柱部５０の側面一部を貫通させてペレット投入ガイド孔５１が形成される。
【００３３】
図３（Ａ）に示す平常時において、スライダー４１ｃが座面４２上に載置され、このときスライダー４１ｃの内周面の略上半分までガイド部材４８のガイド柱部５０が挿通され、ガイド柱部５０の側面のペレット投入ガイド孔５１の下端開口はスライダー４１ｃの上端より上の位置にある。そして、スライダー４１ｃの外周面の略下半分（上下の長さで例えば約５ｍｍの区間）と、これに対向する内壁面４４との間に水銀含有ペレット２０が入らない所定の隙間ｇが形成される。蓋４７を開いてペレット投入ガイド孔５１に１個の水銀含有ペレット２０が投入されると、水銀含有ペレット２０はペレット投入ガイド孔５１の下端開口から隙間ｇの上端間で落下し、スライダー４１ｃに係止されて一時停止する。
【００３４】
図３（Ａ）の平常状態において非正規に外部衝撃力が加わり、図３（Ｂ）に示すようにスライダー４１ｃがガイド柱部５０にガイドされて非正規に上昇しても隙間ｇが変わらず保持され、従って、水銀含有ペレット２０の落下ミスが回避される。また、図３（Ｃ）に示すように、マグネット２６を使用して正規にスライダー４１ｃを磁気吸引して上限位置まで上昇させると、スライダー４１ｃが内壁面４４より浮き上がり、内壁面４４の上端とスライダー４１ｃとの間に水銀含有ペレット２０の直径より大きな空間ができて、この空間から水銀含有ペレット２０が座面４２，ペレット投入口４３へと落下し、更にペレット供給管１１を通過して排気管６からバルブ５へと落下する。
【００３５】
本発明は以上の各実施例に限らず、例えば水銀含有ペレットの複数個をバルブに同時投入する装置においても適用できる。このような装置においては、同時投入される複数個の水銀含有ペレットを同一直径の略球体としてペレット通路空間内壁面と弁部材の隙間を設定、或いは、同時投入される複数個の水銀含有ペレットが直径の異なる略球体であればその最小直径のものに合わせてペレット通路空間内壁面と弁部材の隙間を設定すればよい。
【００３６】
【発明の効果】
本発明によれば、弁部材が非正規な外部衝撃力で上下振動しても弁部材とペレット通路空間内壁面の間の隙間が水銀含有ペレットを通さない隙間を維持したままであるので、弁部材の非正規な上下振動時における水銀含有ペレットの落下ミスが確実に回避されて、蛍光ランプのバルブへの水銀封入が常に正確に行えるようになり、蛍光ランプの品質改善、製造歩留まりの向上化が図れる。
【００３７】
また、弁部材に磁性体の剛球、円筒状スライダーを適用し、この弁部材を保持するペレット通路空間の座面を６５度〜７５度の開口角度の逆円錐面にすれば、弁部材の上下動作が安定して、動作の信頼性の高い水銀含有ペレット投入装置が提供できる。
【図面の簡単な説明】
【図１】本発明の第１の実施例の水銀含有ペレット投入装置を装備した排気ヘッドの縦断面図。
【図２】図１における水銀含有ペレット投入装置の縦断面図で、同図（Ａ）は弁部材振動前、同図（Ｂ）は弁部材振動時、同図（Ｃ）はペレット投入時の断面図。
【図３】本発明の第２の実施例の水銀含有ペレット投入装置の縦断面図で、同図（Ａ）は弁部材振動前、同図（Ｂ）は弁部材振動時、同図（Ｃ）はペレット投入時の断面図。
【図４】従来の水銀含有ペレット投入装置を装備した排気ヘッドの部分断面を含む側面図。
【図５】図４の水銀含有ペレット投入装置の縦断面図で、同図（Ａ）はペレット投入前、同図（Ｂ）はペレット投入時の断面図。
【符号の説明】
１      排気ヘッド
２０      水銀含有ペレット
４０      水銀含有ペレット投入装置
４１      弁部材
４１ａ    剛球（弁部材）
４１ｃ    円筒状スライダー（弁部材）
４２      座面
４３      ペレット投入口
４４      内壁面
ｇ        隙間
θ        座面開口角度
【図１】
0004068251.tif 000002
【図２】
0004068251.tif 000003
【図３】
0004068251.tif 000004
【図４】
0004068251.tif 000005
【図５】
0004068251.tif 000006